(57)【要約】【課題】装置の電源起動時に、あらかじめ装置内の２次記憶に格納されている印字データを自動的に印字する。【解決手段】本発明の印字装置は、２次記憶装置を使用した印字テータ格納手段と、電源投入時に一度だけ動作する印字データ検索手段と、電源投入時に印字されるべき印字データであることを示す格納データ管理領域と、印字データ格納手段から印字データを読み出す印字データ格納手段で構成される。【選択図】        図１
2004338101.tif 000002
【特許請求の範囲】
【請求項１】
印字装置にあって，
２次記憶装置を用いて１つ以上の印字データを格納できる，印字データ格納手段と，
電源投入時に１度だけ動作し２次記憶内の印字データを検索する，初期印字データ検索手段と，
２時記憶に格納されている印字データについて，電源投入時に印字することを表すフラグを持つ，格納データ管理領域と，
指定された印字データを印字データ格納手段から読み出す，印字データ読み出し手段と，
を備えることを特徴とする印字装置。
【請求項２】
電源投入時の印字処理後に自動的に消去するかが選択できるフラグをさらに持つ，格納データ管理領域と，
指定された印字データを削除する，印字データ削除手段と，
をさらに備えることを特徴とする上記請求項１の印字装置。
【請求項３】
印字装置内の２次記憶に，取扱説明書のような印字装置に関する定型文書をあらかじめ格納する
ことを特徴とする上記請求項１もしくは２記載の印字装置。
【発明の詳細な説明】
【０００１】
【発明の属する技術分野】
本発明は，所定の通信媒体を介して前記ホストコンピュータから送信された印字データをデータ処理して画像データを生成し，用紙などのメディアに実際に印字を行う印字装置のうち，２次記憶装置が搭載可能なものに関するものである。
【０００２】
【従来の技術】
従来の印刷装置においては，その印字装置の取扱説明書や製品キャンペーンなどの告知ちらしなどは，製本された説明書やチラシ，すなわち紙の媒体を本体と同じ箱に一緒に添付することが一般的であった。印刷装置ではないが、本従来例を示した文献を以下に示す。
【０００３】
【特許文献１】
実登録３０９２９５４
【０００４】
【発明が解決しようとする課題】
印刷装置自体が紙の媒体に印字する装置であるにもかかわらず，膨大な枚数の説明書やチラシなどを添付することは，印刷や製本のコスト，また添付することによる重量の増加による輸送コストが増大するなどの問題があった。
【０００５】
【課題を解決するための手段】
本発明は上記問題点を鑑み，印字装置内の２次記憶装置に取扱説明書やチラシなどの印字データをあらかじめ格納し，電源投入とともに印字データを検索して印字を行う機能を設ける。
【０００６】
また２次記憶の容量を有効活用できるように，印字装置に初めて電源を投入したときのみ印字し，その後は印字データを自動消去する機能も備える。
【０００７】
【発明の実施の形態】
（実施例１）
図１に本発明の機器内部構成を示す。印字装置１０１は，コントローラーボード１１１とプリントエンジン１１２によって構成されている。印字装置１０１はホストコンピュータからの印字データをコントローラーボード１１１内にある外部インターフェース１２２から入力し，ＲＯＭ１２４内にあるファームウエアにより印字データが処理されＲＡＭ１２３内に画像を形成する。形成された画像は，エンジンインターフェース１２５を介してプリントエンジン１１２より印字結果が出力されるようになっている。
【０００８】
図１にあるコントローラーボード１１１の機能別ブロック図を図２に示す。データ受信部２０１によりホストコンピュータから送られてきた印字データはデータ書き込み部２０２によっていったん２次記憶部２０４へ格納される。このときに２次記憶部２０４には格納されている印字データの管理情報も格納されており，この管理情報を検索することで２次記憶内の印字データの管理も可能である。データ検索部２０３は２次記憶部２０４内の管理情報を元に読み出すべき印字データの検索を行う。検索の結果，読み出すべき印字データが存在した場合にはデータ読み出し部２０７に対して印字データの読み出しを開始するように指示を出す。指示を受けたデータ読み出し部２０７は２次記憶内の印字データを読み出し，描画データ生成部２０６へ送る。描画データ生成部２０６は印字データに従い描画データを生成し，最終的にエンジン制御部２０５を介してプリントエンジンより印字結果が紙媒体で出力されるようになる。
【０００９】
図２にあるデータ検索部２０３の電源投入時の初期印字処理をフローチャート化したものを図３に示す。またデータ検索部２０３が使用する２次記憶内の管理情報の構造を図４に示す。データ検索部は電源投入時に処理３０１において管理情報内にある「初期印字フラグ」を参照する。このフラグは，電源投入時に印字する印字データであることを示すフラグである。このフラグがセットされている印字データの格納が検出された場合には，データ検索部２０３が処理３０２においてデータ読み出し部２０７に対して印字データの読み出しを指示する。その後データ検索部２０３はデータ読み出し部２０７の読み出しが終了するまで，処理３０において次の管理情報の検索をせずに待機する。読み出しが終了した時点で検索を再開し，すべての管理情報を検索するまで同様の処理を繰り返す。
【００１０】
以上の処理により，２次記憶内にある印字データのうち，初期印字フラグの付いた印字データのみを電源起動時に印字することを可能にしている。
【００１１】
（実施例２）
図５に本発明の機能別ブロック図を，図６にデータ検索部５０３の電源投入時の処理をフローチャートにした図を示す。また２次記憶内にある管理情報の構造を図７に示す。電源が投入されたらデータ検索部５０３は処理６０１において管理情報の検索を開始する。このときに管理情報にある「初期印字フラグ」を参照する。このフラグは，電源投入時に印字する印字データであることを示すフラグである。このフラグがセットされている印字データの格納が検出された場合には，データ検索部５０３が処理６０２においてデータ読み出し部５０７に対して印字データの読み出しを指示する。その後データ検索部５０３はデータ読み出し部５０７の読み出しが終了するまで，処理６０３において続きの管理情報の検索をせずに待機する。
【００１２】
データ読み出し部５０７の印字データ読み出しが終了すると，データ検索部５０３は，  処理６０４においていま読み出した印字データの管理情報（図７）内の「自動消去フラグ」がセットされているかを確認する。このフラグがセットされていた場合には，処理６０５において読み出しが終了した後でデータ消去部５０８に対して今読み出した印字データを削除するように依頼する。フラグがセットされていない場合には，消去依頼は行わない。そしてこの一連の処理を再開し，すべての管理情報を検索するまで同様の処理を繰り返す。
【００１３】
以上の処理により，２次記憶内にある印字データのうち，初期印字フラグの付いた印字データのみを電源起動時に印字することを可能にし，さらに印字終了後に印字データの削除を実現している。
【００１４】
【発明の効果】
以上の構成において，本発明の第１実施例によれば，２次記憶内にあらかじめ「初期印字フラグ」の設定がなされた印字データを格納しておくことで，電源投入時に自動的に印字処理が実現できる。これにより紙媒体の添付を避けることができ，かつユーザーに対して使用上の注意などの告知などを徹底することが可能である。
【００１５】
第２実施例によれば，２次記憶内にあらかじめ「初期印字フラグ」および「自動消去フラグ」の設定がなされたデータを格納しておくことで，電源投入時に自動的に印字処理を行い，終了時に削除する処理が実現できる。これによりさらにメーカーの都合で２次記憶の残容量を減らすことなく，有効に活用することが可能である。
【図面の簡単な説明】
【図１】本発明の印字装置の機器内部構成を示した図である。
【図２】印字装置内部のコントローラーボードの機能別ブロック図である。
【図３】データ検索部の電源投入時の処理を示したフローチャートである。
【図４】２次記憶内に格納された印字データの管理情報の構造を示した図である。
【図５】印字装置内部のコントローラーボードの機能別ブロック図である。
【図６】データ検索部の電源投入時の処理を示したフローチャートである。
【図７】２次記憶内に格納された印字データの管理情報の構造を示した図である。
【図１】
2004338101.tif 000003
【図２】
2004338101.tif 000004
【図３】
2004338101.tif 000005
【図４】
2004338101.tif 000006
【図５】
2004338101.tif 000007
【図６】
2004338101.tif 000008
【図７】
2004338101.tif 000009